(57)【要約】【課題】ワイヤハーネス等の長尺部材を過締め付けなしに保持する長尺部材のバンドクランプを提供する。【解決手段】バンドクランプ１は、長尺部材を保持するバンド２と、バンドの一端に設けられて長尺部材の外周をバンドが巻回した状態にロックする係止爪５を有するロック部６を備え、バンド２には、係止爪５に係合する係止部９が、バンド２の長手方向において１個所だけに形成され、その係止部の位置は、バンドが巻回する長尺部材の巻回長さを、所定の長さに定める位置である。【選択図】図３
2009074636.tif 000002
【特許請求の範囲】
【請求項１】
ワイヤハーネス等の長尺部材を保持するバンドと、該バンドの一端に設けられて前記長尺部材の外周を該バンドが巻回した状態にロックする係止爪を有するロック部とを備えた長尺部材のバンドクランプであって、
前記バンドには、前記ロック部の係止爪に係合する係止部が、該バンドの長手方向において１個所だけに形成され、該係止部の位置は、前記バンドが巻回する長尺部材の巻回長さを、所定の長さに定める位置である、ことを特徴とするバンドクランプ。
【請求項２】
請求項１に記載したバンドクランプにおいて、前記バンドには、被取付部材へ前記長尺部材を連結するクリップが連結されていることを特徴とするバンドクランプ。
【請求項３】
請求項１又は２に記載のバンドクランプにおいて、前記バンドには、前記係止部と反対側の面に、過挿入防止用の突起が形成されていることを特徴とするバンドクランプ。
【発明の詳細な説明】
【技術分野】
【０００１】
本発明は、ワイヤーハーネス等の長尺部材を自動車の車体パネル等の被取付部材に取付けるのに適したバンドクランプに関する。
【背景技術】
【０００２】
ワイヤハーネス等の長尺部材を保持するバンドと、バンドの一端に設けられて長尺部材の外周をバンドが巻回した状態にロックする係止爪を有するロック部とを備えた長尺部材のバンドクランプは、特許文献１及び特許文献２に記載のように知られている。
【０００３】
【特許文献１】実開平３−１００１５４号公報
【特許文献２】実開平３−０９４０２５号公報
【特許文献３】実開平５−０１９１５５号公報
【発明の開示】
【発明が解決しようとする課題】
【０００４】
特許文献１及び特許文献２に記載のバンドクランプは、バンドの係止部がバンドの長手方向に多数設けられており、長尺部材を巻回する外周長さが一定せず、締め付けが過剰になったり、多数の係止部への係合を伴なうので、締め付け作業がやや面倒であった。
【０００５】
特許文献３のバンドクランプは、係止部が１個であることを記載しているが、用途が、植木、特に苗木と添え木とを連結するためのものであって、ワイヤハーネス等の長尺部材を保持するものではない。
【０００６】
従って、本発明の目的は、ワイヤハーネス等の長尺部材を過締め付けなしに保持する長尺部材のバンドクランプを提供することにある。
【課題を解決するための手段】
【０００７】
かかる目的を達成するため、本発明によれば、ワイヤハーネス等の長尺部材を保持するバンドと、バンドの一端に設けられて長尺部材の外周をバンドが巻回した状態にロックする係止爪を有するロック部とを備えた長尺部材のバンドクランプであって、バンドには、ロック部の係止爪に係合する係止部が、バンドの長手方向において１個所だけに形成され、その係止部の位置は、バンドが巻回する長尺部材の巻回長さを、所定の長さに定める位置である、ことを特徴とするバンドクランプが提供される。
【０００８】
上記構成によって、バンドが長尺部材を巻回する長さが一定に定められているので、ワイヤハーネス等の長尺部材を、過剰な締め付けをすること無く、一定の直径で保持することができる。また、バンドをクリップ等で車体パネル等の被取付部材に固定した場合に、ワイヤハーネスの直径の違いによってその固定個所からワイヤハーネスまでの長さに違いが出ても、一定直径を保持できる構成であるので、その長さの違いに対応できる。
【０００９】
上記構成のバンドクランプにおいて、バンドには、被取付部材へ長尺部材を連結するクリップを連結するのが好ましい。また、バンドには、係止部と反対側の面に、過挿入防止用の突起が形成されているのが好ましい。
【発明を実施するための最良の形態】
【００１０】
以下、本発明に１実施形態に係るバンドクランプ１について図を参照して説明する。図１〜図３にはバンドクランプ１が使用前の状態で示されている。図４には、バンドクランプ１が、ワイヤハーネス（図示せず）等の長尺部材を巻回して保持する状態で示されており、バンド２には、自動車の車体パネル等の被取付部材へ長尺部材を連結するクリップ３が連結されている。
【００１１】
図１〜図３において、バンドクランプ１は、硬質プラスチックの一体成形品で成る。バンドクランプ１は、細長くて平たい帯条体として形成されたバンド２と、バンド２の一端に形成されて、ワイヤハーネス等の長尺部材の外周をバンド２が巻回した状態にロックする係止爪５を有するロック部６とを有する。
【００１２】
ロック部６は、バンド２を通過させる筒状のバンド受入部７と、バンド受入部７に受入れられたバンド２に係止してバンドをループ状に保持する係止爪５とを有する。係止爪５は、バンド２の挿入を可能にするが係止したバンド２の抜け出しを防止するようにバンド受入部７の内壁面に偏倚する弾性を有する。
【００１３】
バンド２には、ロック部６と反対側の端部に近い部分に、ロック部６の係止爪５と係止する係止部９を有する。係止部９は、バンド２の長手方向において、１個所にしか設けられていない。係止部９の位置は、バンド２が巻回する長尺部材の巻回長さを、所定の長さに定める位置に決められている。また、バンド２には、係止部９と反対側の面に、過挿入防止用の突起１０が形成されている。更に、バンド２には、ループ状にした場合のループの内側にあたる面に、幅方向中央部に、バンド２の長手方向に延びるリブ１１が形成されている。リブ１１は、バンド２の補強をなし、また、保持した長尺部材の長手方向にずれるのを防止できる。
【００１４】
ロック部６には、バンド２の過挿入防止用の突起１０に係合する係止肩１３が、バンド受入部７の入口部分に形成されている。突起１０の位置は、バンド２の係止部９がロック部６の係止爪５に係止した後、それ以上の挿入を停止するように、係止肩１３に係止する位置にさまられる。
【００１５】
上記構成で成るバンドクランプ１の使用状態が図４に示されている。図４において、ワイヤハーネス等の長尺部材は示されていないけれど、バンド２の係止部９は、バンド２に１つしか設けられていないので、一定の所定の直径のループ状に形成された状態で、ロック６の係止爪５に係止する。従って、ワイヤハーネス等の長尺部材は、過剰に締め付けられること無く、一定の直径で保持される。図４に図示のように、バンド２には、車体パネル等の被取付部材に連結するためのクリップ３が連結されてもよい。クリップ３の連結のやり方は、バンド２へ一体成形してもよく、バンド２へキーホール等の連結構造を用いてもよく、公知の連結のやり方の任意のものが利用できる。図示のクリップ３は、被取付部材に立設されたねじスタッドや周溝スタッド等に係止する構造のものとして図示されている。しかし、他のクリップ、例えば、被取付部材の取付穴に挿入して係止する錨脚形状のクリップであってもよく、更に他の公知の構造の連結用クリップであってもよい。
【００１６】
図４に図示のように、バンド２をクリップ３で車体パネル等の被取付部材に固定した場合においても、ワイヤハーネス等の長尺部材の直径の違いによってその固定個所からワイヤハーネスまでの長さに違いが出ても、ループに形成されたバンド２は、一定直径の長尺部材を保持できる構成である。従って、被取付部材の固定個所から長尺部材までの距離の違いを吸収できる。その場合、最も大径の長尺部材の直径に対応できるように、バンド２において係止部９の位置を定めておくのが望ましい。なお、バンド２をロック部６にロックする場合、係止部９が係止爪５に係止した後には、バンド２の突起１０がロック部６の係止肩１３に係止するので、バンド２の過挿入を防止できる。
【図面の簡単な説明】
【００１７】
【図１】本発明の１実施形態に係るバンドクランプの平面図である。
【図２】図１のバンドクランプの正面図である。
【図３】（Ａ）は、図１のバンドクランプのＡ−Ａ線断面図、（Ｂ）は、図１のバンドクランプのＢ−Ｂ線断面図である。
【図４】長尺部材を保持するようにループ状にロックした状態の本発明の１実施形態に係るバンドクランプの断面図である。
【符号の説明】
【００１８】
１  バンドクランプ
２  バンド
３  クリップ
５  係止爪
６  ロック部
７  バンド受入部
９  係止部
１０  突起
１１  リブ
１３  係止肩
【図１】
2009074636.tif 000003
【図２】
2009074636.tif 000004
【図３】
2009074636.tif 000005
【図４】
2009074636.tif 000006